(57)【要約】【課題】軽量かつ小型で、害獣への警戒心を与えることなく害獣の捕獲率を高めることを目的とする。【解決手段】捕獲檻１０１は、捕獲檻本体１０２に扉部１１６が揺動自在に取り付けられ、扉部１１６を開放状態に支持するストッパー部１２３、ストッパー部１２３による扉部１１６の解放状態を解除して閉塞状態へと移動させるストッパー解除部１３４、およびストッパー解除部１３４を作動させるトリガー部１２９ａから構成されている。扉部１１６は、少なくとも天井面開口部１１４の一部を閉塞する天井面閉塞部１１８、前面開口部１０７を閉塞する前面閉塞部１１９を有し、側面視略Ｌ字状に構成されている。扉部１１６を開放状態に支持すると、天井面閉塞部１１８の位置が高くなるため、捕獲檻１０１に近づいた害獣に対して警戒心を与えることなく、害獣を捕獲檻内に誘導することができる。【選択図】図１
2018000153.tif 000002
【特許請求の範囲】
【請求項１】
底面部、背面部、第１の側面部、および該第１の側面部に対峙する第２の側面部を含み、天井面開口部、および前面開口部が形成された捕獲檻本体と、
前記第１の側面部の上端縁、および前記第２の側面部の上端縁の所定の位置に架設された扉支持部と、
前記天井面開口部の少なくとも一部を閉塞する天井面閉塞部、前記前面開口部を閉塞する前面閉塞部を有し、前記扉支持部に一端が蝶番を介して揺動可能に支持された側面視略Ｌ字状の扉部と、
該扉部を、前記天井面開口部と前記前面開口部を開放状態に保持可能なストッパー部と、
該ストッパー部に接続され、前記扉部の解放状態を解除するストッパー解除部と、
前記捕獲檻本体内に設けられ、該ストッパー解除部を作動させるトリガー部と、を備える
捕獲檻。
【請求項２】
前記ストッパー部は、
前記扉部の前記前面閉塞部に内設された基部と、
該基部に軸支された支持棒と、
前記扉支持部の架設位置よりも前記前面開口部側であって、前記支持棒が当接する当接部を含み、軸線回りに回動可能に前記第１の側面部の上端縁、および前記第２の側面部の上端縁に架設された連結部と、を有する
請求項１に記載の捕獲檻。
【請求項３】
前記ストッパー解除部は、
一端が前記トリガー部に接続された第１のリンク棒と、
一端が前記扉部の解放状態において前記連結部を支持し、前記捕獲檻本体に軸支された第２のリンク棒と、
前記第１のリンク棒と前記第２のリンク棒の他端同士が軸支された関節部と、を有する
請求項１または請求項２に記載の捕獲檻。
【請求項４】
前記トリガー部は、
一端が前記第１の側面部の下端縁に固定され、他端が前記第１のリンク棒に接続された長尺のロッドと、
前記第２の側面部の下端縁の長手方向に沿って固定され、前記ロッドの他端が挿通される開口部が形成された門型の浮き上がり防止部と、
該ロッドの所定の位置に固定され、格子状に形成されたエサ台と、を有する
請求項１から請求項３の何れか一項に記載の捕獲檻。
【請求項５】
前記トリガー部は、
前記第１の側面部の下端縁に摺接され、該第１の側面部の長手方向に沿って始端と終端を含む第１のスリットが形成された第１のレールと、
該第１のレールに対峙する位置であり、前記第２の側面部の下端縁で、摺接され、該第２の側面部の長手方向に沿って始端と終端を含む第２のスリットが形成された第２のレールと、
前記第１のレールの一端に係止され、該第１のレールを前記第１のスリットの始端から終端に向けて一方向に付勢する第１のバネ部と、
前記第２のレールの一端に係止され、該第２のレールを前記第２のスリットの始端から終端に向けて一方向に付勢する第２のバネ部と、
前記第１の側面部の下端縁に固定されるとともに、前記第１のスリットの始端に嵌挿された第１の止め具と、
前記第１の側面部の下端縁に固定されるとともに、前記第１のスリットの長さ方向の略中央部で前記第１のレールに当接するフランジ部を含む第２の止め具と、
前記第２の側面部の下端縁に固定されるとともに、前記第２のスリットの始端に嵌挿された第３の止め具と、
前記第２の側面部の下端縁に固定されるとともに、前記第２のスリットの長さ方向の略中央部で前記第２のレールに当接するフランジ部を含む第４の止め具と、
前記第１のレールと前記第２のレールにより狭持され、格子状に形成されたエサ台と、を有する
請求項１から請求項３の何れか一項に記載の捕獲檻。
【請求項６】
一端が前記第２のリンク棒の所定の位置に係止されるとともに、前記捕獲檻本体内を通過するように前記第１の側面部、および第２側面部の所定の高さ位置に巻着された解除紐を有する
請求項３から請求項５の何れか一項に記載の捕獲檻。
【請求項７】
前記第１の側面部の上端縁と前記第２の側面部の上端縁に回動自在に架設された本体部、および該本体部の両端部に接続され、前記扉部の内面に当接する安全棒を含む安全装置を有する
請求項１から請求項６の何れか一項に記載の捕獲檻。
【請求項８】
前記前面開口部が形成された前面方形枠体と、
一端が該前面方形枠体の上端縁に軸支された錠部と、
前記扉部の前記前面閉塞部に設けられ、前記扉部を閉塞した状態で、前記錠部の他端に当接し、扉部の解放状態への移動を規制する錠規制部と、を有する
請求項１から請求項７の何れか一項に記載の捕獲檻。
【発明の詳細な説明】
【技術分野】
【０００１】
本発明は、捕獲檻に関する。詳しくは、イノシシやシカなどの害獣を捕獲する捕獲檻であり、軽量かつ小型で、害獣への警戒心を与えることなく害獣の捕獲率を高めることができる捕獲檻に係るものである。
【背景技術】
【０００２】
近年、乱開発、異常気象に伴う自然環境の変化、耕作放棄地の増加による害獣の生息環境の変化に伴い、害獣の個体数は年々増加している。また、これら害獣による農林業被害は全国的に見られるようになってきており、その被害は拡大の一途をたどり、社会問題化している。このため、これら害獣の捕獲駆除も積極的に進めなければならない状況となっている。
【０００３】
従来より、害獣の捕獲駆除については、猟銃による方法や、捕獲檻による方法が用いられてきたが、猟銃による方法は所持規制の強化もあり、その免許を有する者が著しく減少している。そのため、近年では捕獲檻を用いた害獣の捕獲駆除が主流となっている。
【０００４】
このような捕獲檻として、例えば特許文献１には、捕獲檻に進入した害獣が捕獲檻内に設けられたエサをつついた瞬間に、閉塞板が自重によりスライド落下することで、出入口を閉塞することができる捕獲檻が開示されている。
【０００５】
具体的には、図７に示すように、捕獲檻２０１に害獣を導入するための前面開口部２０７と、この前面開口部２０７を閉塞するための扉部２１６を、前面開口部２０７に対して上下方向にスライド移動自在に設ける。捕獲檻２０１には、扉部２１６を上方に位置した状態で係止するストッパー部２２３を設け、捕獲檻２０１に進入した害獣が捕獲檻２０１内に設けたエサ取付部２６２を可動させた際に、ストッパー部２２３による扉部２１６の係止状態が解除され、この扉部２１６が自動的に下方へスライド移動し、前面開口部２０７を閉塞状態とすることができる。
【０００６】
一方、特許文献１に開示の捕獲檻２０１においては、前面開口部２０７と対向する背面部は鋼材を網目状、または格子状に組んで構成されているものが多く、格子などが害獣の視界に入ると、害獣は警戒してなかなか捕獲檻２０１に入ってこないという課題を有していた。
【０００７】
このような課題に対して、特許文献２には、捕獲檻の導入部側と、導入部側と対向する側のそれぞれに開口部が形成された捕獲檻が開示されている。
【０００８】
具体的には、前面開口部３０７と背面開口部３６３のそれぞれを閉塞可能な第１の扉部３６４、および第２の扉部３６５が上下方向にスライド移動自在に設けられている。このように構成された捕獲檻３０１は、第１の扉部３６４と第２の扉部３６５を開状態に係止して農地などに仕掛けられる。捕獲檻３０１に近づいた害獣は、前面開口部３０７から背面開口部３６３までを見通すことができ、捕獲檻３０１の向こう側の景色を見ることができる。そのため、捕獲檻３０１の通り抜けができると感じて、警戒心を抱くことなく捕獲檻３０１内に呼び寄せることができる。
【先行技術文献】
【特許文献】
【０００９】
【特許文献１】特開２００４−３０５０５０号公報
【特許文献２】特開２００１−２５３４８号公報
【発明の概要】
【発明が解決しようとする課題】
【００１０】
前記したように、特許文献１に記載の捕獲檻では、害獣に警戒心を与えてしまい、害獣が捕獲檻になかなか入ってこないという課題を有している。
【００１１】
一方、特許文献２に記載の捕獲檻では、第１の扉部と第２の扉部のそれぞれについて係止部やスライド機構を設ける必要があるため、構造が複雑となるばかりでなく、組立工数や、組立コストが高く、必ずしも生産性の高いものとはなっていなかった。
【００１２】
また、特許文献１、および特許文献２に開示の捕獲檻を含め、従来の捕獲檻の開口部を閉塞する扉部は、全てが上下方向にスライドする構成となっており、特に天井部が閉塞された箱わなにおいては、開口部を開口した状態で捕獲檻を設置したとしても、天井部分の圧迫感、閉塞感により、常に害獣に警戒心を与えてしまう。
【００１３】
この点、天井部分の半分以上が開口した囲いわなでは、せっかく捕獲した害獣が天井の開口部から脱柵してしまう。そのため、柵の高さを必然的に高くする必要から、捕獲檻の大型化を招き、被害発生場所に簡易迅速に設置できないものとなっていた。
【００１４】
本発明は、以上の点に鑑みて創案されたものであり、軽量かつ小型で、害獣への警戒心を与えることなく害獣の捕獲率を高めることができる捕獲檻を提供することを目的とする。
【課題を解決するための手段】
【００１５】
上記の目的を達成するために、本発明の捕獲檻は、底面部、背面部、第１の側面部、および該第１の側面部に対峙する第２の側面部を含み、天井面開口部、および前面開口部が形成された捕獲檻本体と、前記第１の側面部の上端縁、および前記第２の側面部の上端縁の所定の位置に架設された扉支持部と、前記天井面開口部の少なくとも一部を閉塞する天井面閉塞部、前記前面開口部を閉塞する前面閉塞部を有し、前記扉支持部に一端が蝶番を介して揺動可能に支持された側面視略Ｌ字状の扉部と、該扉部を、前記天井面開口部と前記前面開口部を開放状態に保持可能なストッパー部と、該ストッパー部に接続され、前記扉部の解放状態を解除するストッパー解除部と、前記捕獲檻本体内に設けられ、該ストッパー解除部を作動させるトリガー部とを備える。
【００１６】
ここで、天井面開口部の少なくとも一部と前面開口部を閉塞する側面視略Ｌ字状の扉部を備えることにより、扉部を開放状態とした場合には、天井面の位置が高くなるため、捕獲檻に近づいた害獣に対して警戒心を与えることなく、害獣を捕獲檻内に誘導することができる。
【００１７】
また、天井面の少なくとも一部を閉塞する天井面閉塞部を有することにより、扉部を閉塞した場合には、天井面の一部が扉部で閉塞されるため、捕獲檻内に閉じ込めた害獣が逃げ出すことを阻止することができる。さらに、天井面をそれほど高くする必要もないため、捕獲檻の軽量化、小型化を実現することができる。
【００１８】
また、扉部により閉塞した際の天井面の開口面積が５０％以上となるように、天井面閉塞部の大きさを設定することにより、狩猟免許が免除される囲いわなとすることもできる。さらに、囲いわなとした場合でも天井面開口部の一部は扉部により閉塞されているため、捕獲檻に進入した害獣が天井面開口部から逃げ出すことを極力防止することができる。
【００１９】
また、前面開口部を閉塞する前面閉塞部を有することにより、扉部を閉塞した場合に、前面開口部が閉塞されるため、捕獲檻内に閉じ込めた害獣が前面開口部から逃げ出すことを阻止することができる。
【００２０】
また、扉部は、第１の側面部の上端縁、および第２の側面部の上端縁の所定の位置に架設された扉支持部に蝶番を介して揺動可能に支持されているため、扉部の解放状態から閉塞状態へと容易に移動させることができる。
【００２１】
また、扉部を天井面開口部と前面開口部を開放状態に保持可能なストッパー部を備えていることにより、扉部を開放状態で保持することができる。このとき、天井面を比較的高い位置で保持することができるため、捕獲檻の天井面の圧迫感、閉塞感がなく、捕獲檻に近づいた害獣への警戒心を低減させることができる。
【００２２】
また、ストッパー部に接続され、扉部の解放状態を解除するストッパー解除部を備えることにより、ストッパー解除部の作動により、扉部を開放状態から閉塞状態へと容易に移動させることができる。
【００２３】
また、捕獲檻本体内に設けられ、ストッパー解除部を作動させるトリガー部を備えることにより、捕獲檻内に入り込んだ害獣がトリガー部に接触することで、ストッパー解除部が作動し、扉部を開放状態から閉塞状態とすることができるため、害獣を捕獲檻内に閉じ込めることができる。
【００２４】
また、ストッパー部は、扉部の前面閉塞部に内設された基部と、この基部に軸支された支持棒と、支持棒に当接する当接部を含み、扉支持部の架設位置よりも前面開口部側で第１の側面部の上端縁、および第２の側面部の上端縁に架設された連結部を有する場合には、支持棒を当接部に当接させることで、扉部を開放状態に保つことができる。さらに、この支持棒の長さを変更することで、扉部の解放状態における天井高さも自由に設定することができる。
【００２５】
また、連結部が、軸線回りに回動可能に第１の側面部の上端縁、および第２の側面部の上端縁に架設されている場合には、連結部を軸線方向に回転させるだけで、支持棒の連結部に対する当接状態を解除し、扉部を開放状態から閉塞状態に容易に移動させることができる。
【００２６】
また、ストッパー解除部は、一端がトリガー部に接続された第１のリンク棒と、一端が扉部の解放状態において連結部を支持し、捕獲檻本体に軸支された第２のリンク棒と、第１のリンク棒と第２のリンク棒の他端同士が軸支された関節部を有する場合には、トリガー部の動きに連動して第1のリンク棒、および第２のリンク棒が関節部を介して自在に可動させることができ、扉部を開放状態から閉塞状態に容易に移動させることができる。
【００２７】
また、第２のリンク棒の一端には連結部が当接されているだけのため、第２のリンク棒の動きに連動して、連結部が軸方向に回動し、支持棒の連結部に対する当接状態が解除されるため、扉部を開放状態から閉塞状態に容易に移動させることができる。
【００２８】
また、トリガー部は、一端が第１の側面部の下端縁に固定され、他端が第１のリンク棒に接続された長尺のロッドと、このロッドの所定の位置に固定され、格子状に形成されたエサ台を有する場合には、エサ台に害獣のエサを置いておくことにより、捕獲檻に進入した害獣がエサを食べる際に、ロッドの一端を起点としてロッドが揺動する。このロッドの揺動に連動して、第１のリンク棒、および第２のリンク棒が可動し、支持棒の連結部に対する当接状態が解除されるため、扉部を開放状態から閉塞状態に移動させ、害獣を捕獲檻内に閉じ込めることができる。
【００２９】
また、第２の側面部の下端縁の長手方向に沿って固定され、ロッドの他端が挿通される開口部が形成された門型の浮き上がり防止部を有する場合には、例えば害獣としてのイノシシが鼻先でロッドを持ち上げるような動作をした場合でも、トリガー部の鉛直上下方向の移動を制限し、トリガー部の浮き上がりを防止することができる。したがって、ロッドを含むトリガー部の破損を未然に防止することができるとともに、トリガー部が平面的な動きに制限されるため、トリガー部の動きを確実に第１のリンク棒、および第２のリンク棒に伝えることができる。
【００３０】
また、ロッドの所定の位置に固定されたエサ台が格子状に形成されている場合には、エサを害獣が容易に取れないように格子内に置いておくことで、害獣が格子内のエサを取るためにトリガー部を揺動させるため、より確実にストッパー解除部を作動させ、扉部を開放状態から閉塞状態に容易に移動させることができる。
【００３１】
また、トリガー部は、第１の側面部の下端縁に摺接された第１のレールと、第１のレールに対峙する位置であり、第２の側面部の下端縁に摺接された第２のレールと、第１のレールと第２のレールに狭持されたエサ台から構成されている場合には、エサ台に害獣のエサを置いておくことにより、捕獲檻に進入した害獣がエサを食べる際に、トリガー部が第１の側面部の下端縁、および第２の側面部の下端縁を摺動する。この摺動動作に連動して、第１のリンク棒、および第２のリンク棒が可動し、支持棒の連結部に対する当接状態が解除されるため、扉部を開放状態から閉塞状態に容易に移動させることができる。
【００３２】
また、第１のレールと第２のレールに、始端と終端を含む第１のスリット、および第２のスリットがそれぞれ形成され、この第１のスリットに挿通され第１の側面部の下端縁に固定される第１の止め具と、第２のスリットに挿通され第２の側面部の下端縁に固定される第３の止め具を有する場合には、トリガー部の移動を制限し、不用意にトリガー部が可動してストッパー解除部が作動することを防止することができる。
【００３３】
また、第１のレールの一端に係止され、第１のレールを第１のスリットの始端から終端に向けて一方向に付勢する第１のバネ部と、第１の側面部の下端縁に固定され第１のスリットの始端に嵌挿された第１の止め具と、第２のレールの一端に係止され、第２のレールを第２のスリットの始端から終端に向けて一方向に付勢する第２のバネ部と、第２のスリットの始端に嵌挿された第３の止め具を有する場合には、トリガー部を一方向に付勢させた状態で保持することができるため、不用意にトリガー部が可動してストッパー解除部が作動することを防止することができる。
【００３４】
また、第１の側面部の下端縁に固定されるとともに、第１のスリットの長さ方向の略中央部で第１のレールに当接するフランジ部を含む第２の止め具と、第２の側面部の下端縁に固定されるとともに、第２のスリットの長さ方向の略中央部で第２のレールに当接するフランジ部を含む第４の止め具を有する場合には、このフランジ部によりトリガー部の鉛直上下方向の移動を規制することができる。したがって、例えば害獣としてのイノシシが鼻先でエサ台を持ち上げるような動作をした場合でも、トリガー部の鉛直上下方向の移動を制限し、トリガー部の浮き上がりを防止することができる。したがって、トリガー部の破損を未然に防ぐとともに、トリガー部が平面的な動きに制限されるため、トリガー部の動きを確実に第１のリンク棒、および第２のリンク棒に伝えることができる。
【００３５】
また、エサ台が格子状に形成されている場合には、エサを害獣が容易に取れないように格子内に置いておくことで、害獣が格子内のエサを取るためにトリガー部を揺動させるため、より確実にストッパー解除部を作動させ、扉部を開放状態から閉塞状態に容易に移動させることができる。
【００３６】
また、一端が第２のリンク棒の所定の位置に係止されるとともに、捕獲檻本体内を通過するように第１の側面部、および第２側面部の所定の高さ位置に巻着された解除紐を有す場合には、例えば体高の高い害獣がエサ台のエサを取ろうとする際に、解除紐が引っぱられることにより第２のリンク棒が可動する。このとき、支持棒の連結部に対する当接状態が解除されるため、扉部を開放状態から閉塞状態に容易に移動させることができる。
【００３７】
また、第１の側面部の上端縁と第２の側面部の上端縁に回動自在に架設された本体部、
および本体部の両端部に接続され、扉部の内面に当接する安全棒を含む安全装置を有する場合には、例えば、作業者が捕獲檻内において作業を行う際に不用意にトリガー手段を作動させたとしても、この安全棒により扉部の開放状態が維持されるため、作業者が捕獲檻内に閉じ込められることを防止することができる。
【００３８】
また、前面開口部が形成された前面方形枠体と、一端が前面方形枠体の上端縁に軸支された錠部と、扉部の前面閉塞部に設けられ、扉部を閉塞した状態で、錠部の他端に当接し、扉部の解放状態への移動を規制する錠規制部とを有する場合には、扉部を閉塞状態とした際に、捕獲檻内の害獣が扉部を持ち上げようとする動作をしても、扉部の解放状態への移動が規制されるため、害獣が捕獲檻内から逃げ出すことを防止することができる。
【発明の効果】
【００３９】
本発明に係る捕獲檻は、軽量かつ小型で、害獣への警戒心を与えることなく害獣の捕獲率を高めることができる。
【図面の簡単な説明】
【００４０】
【図１】本発明の第１の実施形態に係る捕獲檻の扉を開いた状態の斜視図である。
【図２】本発明の第１の実施形態に係る捕獲檻の扉を開いた状態の側面図である。
【図３】本発明の第１の実施形態に係る捕獲檻の扉を閉じた状態の斜視図である。
【図４】本発明の第１の実施形態に係るトリガー部の要部拡大図である。
【図５】本発明の第２の実施形態に係るトリガー部の要部拡大図である。
【図６】本発明の第３の実施形態に係る捕獲檻の扉を開いた状態の斜視図である。
【図７】従来技術を示す図である。
【図８】従来技術を示す図である。
【発明を実施するための形態】
【００４１】
以下、捕獲檻に関する本発明の実施の形態について、図面を参照しながら説明し、本発明の理解に供する。なお、各図においては、説明の便宜上、捕獲檻１０１を地面に設置した状態において、捕獲檻１０１の底面から天井面に向かう方向を上方向と定義し、上方向の反対方向を下方向と定義し、上方向、及び下方向により表される軸方向を鉛直方向と定義する。
【００４２】
まず、本発明を適用した第１の実施形態に係る捕獲檻１０１の全体構成について、図１、ないし図３を用いて説明する。捕獲檻本体１０２は、底面部１０３、背面部１０４、および一対の第１の側面部１０５、第２の側面部１０６から構成されている。
【００４３】
捕獲檻本体１０２の前面側には前面開口部１０７が形成された前面方形枠体１０８と、前面方形枠体１０８に対峙する位置で後面方形枠体１０９が立設されている。第１の側面部１０５、および第２の側面部１０６の上端縁には、前面方形枠体１０８、および後面方形枠体１０９に架設される第１の上側フレーム１１０、第２の上側フレーム１１１を有している。また、第１の側面部１０５、および第２の側面部１０６の下端縁には、前面方形枠体１０８、および後面方形枠体１０９に架設される第１の下側フレーム１１２、第２の下側フレーム１１３を有している。
【００４４】
この第１の上側フレーム１１０、第２の上側フレーム１１１、前面方形枠体１０８の一部、および後面方形枠体１０９の一部により天井面開口部１１４が形成されている。
【００４５】
また、後面方形枠体１０９、第１の側面部１０５、および第２の側面部１０６には、例えば縦支柱１１５が所定間隔ごとに設置されている。
【００４６】
ここで、必ずしも、背面部１０４、第１の側面部１０５、および第２の側面部１０６には縦支柱が所定間隔ごとに設置されている必要はない。例えば、縦支柱１１５に代えて、鋼材を網目状に設置されていてもよい。
【００４７】
また、必ずしも、前面方形枠体１０８、および後面方形枠体１０９は方形状に構成されている必要はない。例えば、コの字状の三方枠に構成されていてもよく、捕獲檻本体１０２の剛性を考慮して適宜変更することができる。
【００４８】
扉部１１６は、外枠１１７の内面に縦支柱１１５が所定間隔ごとに設置された天井面閉塞部１１８、および前面閉塞部１１９が連接された側面視略Ｌ字状であり、天井面開口部１１４の少なくとも一部、および前面開口部１０７の全体を閉塞することが可能である。
【００４９】
扉部１１６の一端は捕獲檻本体１０２の第１の上側フレーム１１０、および第２の上側フレーム１１１に架設された扉支持部１２０に蝶番１２１を介して取り付けられ、扉部１１６は図１に示す開放状態の位置と、図３に示す閉塞状態の位置を揺動可能に移動させることができる。
【００５０】
ここで、必ずしも、扉支持部１２０は第１の上側フレーム１１０、および第２の上側フレーム１１１に架設されている必要はない。扉部１１６が天井面開口部１１４の少なくとも一部、および前面開口部１０７を閉塞させることができれば、捕獲檻本体１０２の何れの位置に架設されていてもよい。ただし、第１の上側フレーム１１０、および第２の上側フレーム１１１に扉支持部１２０が架設されている場合には、扉部１１６を強固に固定することができるとともに、扉部の揺動動作による捕獲檻本体１０２の破損なども未然に防止することができる。
【００５１】
また、必ずしも扉部１１６は天井面開口部１１４の一部のみを閉塞する必要はない。例えば、天井面開口部１１４の全面を閉塞するように構成してもよい。なお、天井面開口部１１４の閉塞範囲を、天井面開口部１１４の５０％未満となる大きさに天井面閉塞部１１８を構成することにより、狩猟免許が免除される、囲いわなとして使用することができる。一方、天井面開口部１１４の閉塞範囲を、天井面開口部１１４の５０％以上となる大きさに天井面閉塞部１１８を構成することにより、箱わなとして使用することができる。これらは、捕獲檻の使用目的などに応じて適宜変更することが可能である。
【００５２】
また、囲いわなとして使用する場合においても、扉部１１６で閉塞されない天井面開口部１１４には、例えば、追加の所定の高さを有する天井柵１２２を取り付けることで、害獣が捕獲檻１０１から天井面開口部１１４を飛び越えて逃げ出すことを阻止することができる。
【００５３】
扉部１１６は、ストッパー部１２３によりその開放状態が維持される。ストッパー部１２３は主に扉部１１６の内面に取り付けられた基部１２４、この基部１２４に軸支された支持棒１２５、扉支持部１２０の架設位置よりも前面開口部１０７側で第１の上側フレーム１１０、第２の上側フレーム１１１間に架設された連結部１２６から構成されている。
【００５４】
この連結部１２６の長さ方向の略中央部には、支持棒１２５の先端が当接可能な当接部１２７が取り付けられている。すなわち、扉部１１６の開放状態においては、支持棒１２５が連結部１２６の当接部１２７に当接された状態でその開放状態が維持される。また、連結部１２６の一端には、後述する第２のリンク棒１３１により支持される支持板１２８が一体的に構成されている。
【００５５】
トリガー部１２９ａは、図４に示すように、底面部１０３の平面内において揺動可能なように一端が第１の下側フレーム１１２に軸支され、他端が第１のリンク棒１３０の一端に軸支されたロッド１３２と、ロッド１３２の長さ方向に沿って設けられた格子状に形成されたエサ台１３３から構成されている。
【００５６】
ここで、必ずしも、エサ台１３３は格子状に形成されている必要はない。例えば平板状であてもよい。ただし、エサ台１３３が格子状に形成されている場合には、エサ台１３３の下側にエサを載置しておくことにより、捕獲檻１０１内に進入した害獣がエサを見つけたとしても、エサ台１３３を移動させなければエサを食べることができない。そのため、例えばイノシシなどは鼻先でロッド１３２を底面部１０３の平面内を移動させようとするが、このとき、ロッド１３２の揺動に連動して第１のリンク棒が作動し、ストッパー解除部１３４を確実に作動させることができる。
【００５７】
また、第２の下側フレーム１１３の長さ方向に沿って、略門型の浮き上がり防止部１３５が固定されている。浮き上がり防止部１３５は、ロッド１３２の他端が挿通可能で、ロッド１３２の揺動範囲にあわせた長さの挿通孔部１３６が形成されている。
【００５８】
ここで、必ずしも、浮き上がり防止部１３５を有している必要はない。ただし、浮き上がり防止部１３５を有していることにより、例えば、イノシシがロッド１３２を鼻先で鉛直上方向に持ち上げようとする動きをした場合でも、その浮き上がりを防止し、ロッド１３２の破損を未然に防止することができる。
【００５９】
ストッパー解除部１３４は、第１のリンク棒１３０、および第２のリンク棒１３１から構成されている。第１のリンク棒１３０は、一端がロッド１３２に軸支され、第２の側面部１０６に沿って鉛直上方向に向けて延接されている。この第１のリンク棒１３０の他端と、第２のリンク棒１３１の他端が軸支され関節部１３７を構成している。
【００６０】
第２のリンク棒１３１は、その一端が、連結部１２６の支持板１２８の裏面を支持するとともに、第２の上側フレーム１１１に設けられた突出片１３８で挟持されている。
【００６１】
安全装置１３９は、ストッパー解除部１３４が作動しても、扉部１１６の内面に当接して扉部１１６の開放状態を維持するものであり、第１の上側フレーム１１０、および第２の上側フレームに架設された本体部１４０と、この本体部１４０の両端に一体的に接続され、扉部１１６の内面に当接する安全棒１４１ａ、１４１ｂから構成されている。
【００６２】
ここで、必ずしも安全装置１３９を有している必要はない。ただし、安全装置１３９を有していることにより、例えば、作業者が捕獲檻本体１０２内においてエサの設置などの作業を行う際に、誤ってトリガー部１２９ａに触れてしまい、ストッパー解除部１３４が作動して支持棒１２５と連結部１２６の当接状態が解除されても、安全装置１３９により扉部１１６の閉塞状態への移動を規制することができる。そのため、作業者が捕獲檻１０１内に閉じ込められることを未然に防止することができるため、安全装置１３９を有していることが好ましい。
【００６３】
また、必ずしも、安全棒１４１ａ、１４１ｂは本体部１４０の両端にそれぞれ接続されている必要はない。例えば、本体部１４０の両端の何れか一方にのみ接続されていてもよい。ただし、扉部１１６を確実に支えるためにも、安全棒１４１ａ、１４１ｂは本体部１４０の両端にそれぞれ有していることが好ましい。
【００６４】
また、必ずしも、安全棒１４１ａ、１４１ｂは本体部１４０と一体的に構成されている必要はない。例えば、本体部１４０を有さず、安全棒１４１ａ、１４１ｂが第１の上側フレーム１１０、および第２の上側フレーム１１１に軸支されていてもよい。ただし、安全棒１４１ａ、１４１ｂが本体部１４０に一体的に構成されていることにより、例えば、安全棒１４１ａを回動させると、それに伴って他方の安全棒１４１ｂも同時に回動するため、作業性が向上する。
【００６５】
前面方形枠体１０８の上端縁には、一対の側縁部１４２と、この一対の側縁部１４２に架設された係止部１４３の略コの字状の錠部１４４が軸支されている。この錠部１４４は、扉部１１６を閉塞した状態において、係止部１４３が扉部１１６の前面閉塞部１１９の外側で横支柱からなる錠規制部１４５に当接するように構成されており、扉部１１６の鉛直上方への移動を規制することができるものとなっている。
【００６６】
ここで、必ずしも、錠部１４４を有している必要はない。ただし、錠部１４４を有していることにより、捕獲檻１０１内に閉じ込められた害獣が扉部１１６を自力で開けて逃げ出すことを防止することができる。
【００６７】
このように構成された捕獲檻１０１は、扉部１１６を開放状態にして農地などの所定の場所に設置される。捕獲檻１０１に進入した害獣（例えばイノシシ）が、トリガー部１２９ａの格子状に形成されたエサ台１３３に設置されたエサを発見すると、ロッド１３２を鼻先や前足などで可動させる。
【００６８】
ロッド１３２の前後方向への揺動により、第１のリンク棒１３０が背面部１０４側に移動すると、関節部１３７を介して第２のリンク棒１３１が側面視で反時計周りに回動する。第２のリンク棒１３１の回動により、第２のリンク棒１３１と連結部１２６の支持状態が解除される。
【００６９】
このとき、連結部１２６の重心は当接部１２７、または支持板１２８により前面開口部１０７側に位置するため、連結部１２６は側面視で反時計周りに回動し、支持棒１２５と連結部１２６の当接状態も解除される。
【００７０】
支持棒１２５と連結部１２６の当接状態が解除されると、扉部１１６は開放状態から閉塞状態へと移動し、捕獲檻１０１内への害獣の捕獲が完了する。
【００７１】
なお、作業者がエサ台１３３へのエサの設置作業などを行う際には、安全棒１４１ａ、１４１ｂを扉部１１６の内面に当接させておことで、支持棒１２５と連結部１２６の当接状態が解除されても、依然として安全棒１４１ａ、１４１ｂにより扉部１１６を支持しているため、誤って扉部１１６が閉塞状態に移動することを防止することができる。
【００７２】
次に、本発明の第２の実施形態について説明する。なお、第１の実施形態と共通する部分についてはその説明を省略する。
【００７３】
第２の実施形態は第１の実施形態に対して、トリガー部１２９ｂの構成が異なっている。具体的には、図５に示すように、トリガー部１２９ｂは第１の下側フレーム１１２に摺接された第１のレール１４６と、この第１のレール１４６に対峙する位置で第２の下側フレーム１１３に摺接された第２のレール１４７をそれぞれ有している。
【００７４】
第１のレール１４６、および第２のレール１４７には、その長さ方向に始端１４８ａと終端１４９ａを有する第１のスリット１５０、および始端１４８ｂと終端１４９ｂを有する第２のスリット１５１がそれぞれ形成されている。また、第１のレール１４６の一端には、第１のレールを始端１４８ａから終端１４９ａの一方向に付勢する第１のバネ部１５２がフック１５４ａに取り付けられている。また、第２のレール１４７の一端には、第２のレール１４７を始端１４８ｂから終端１４９ｂの一方向に付勢する第２のバネ部１５３がフック１５４ｂに取り付けられている。
【００７５】
ここで、必ずしも、第１のバネ部１５２、および第２のバネ部１５３を有している必要はない。ただし、第１のバネ部１５２、および第２のバネ部１５３を有していることにより、トリガー部１２９ｂを一方向に付勢させた状態で保持することができるため、不用意にトリガー部１２９ｂが可動してストッパー解除部１３４が作動することを防止することができる。
【００７６】
第１のレール１４６の第１のスリット１５０の始端１４８ａには、第１の下側フレーム１１２に固定された第１の止め具１５５が挿通され、第１のスリット１５０の略中央部には、第１の下側フレームに固定された第２の止め具１５６が挿通されている。また、第２のレール１４７の第２のスリット１５１の始端１４８ｂには、第２の下側フレーム１１３に固定された第３の止め具１５７が挿通され、第２のスリット１５１の略中央部には、第第２の下側フレーム１１３に固定された第４の止め具１５８が挿通されている。
【００７７】
すなわち、第１の止め具１５５、第３の止め具１５７により第１のレール１４６、および第２のレール１４７は前面開口部１０７側へのスライドが規制される。一方、背面部１０４側へのスライドは許容されるが、前述したとおり、背面部１０４側へスライドしても第１のバネ部１５２、および第２のバネ部１５３の付勢力により、直ちに元の位置に戻ることになる。
【００７８】
第１の止め具１５５、ないし第４の止め具１５８の頭部はフランジ部１６０を有しており、このフランジ部１６０は第１のスリット１５０、および第２のスリット１５１の幅よりも広く、第１レール１４４、および第２のレール１４７に当接している。
【００７９】
ここで、必ずしも、第１の止め具１５５、ないし第４の止め具１５７はフランジ部１６０を有している必要はない。ただし、フランジ部１６０を有していることにより、第１のレール１４６、および第２のレール１４７の鉛直上方向の浮き上がりを防止することができる。
【００８０】
この第１のレール１４６と第２のレール１４７には、第１の実施形態と同じく、格子状に形成されたエサ台１３３が狭持され、第２のレール１４７には第１のリンク棒１３０の一端が接続されている。
【００８１】
したがって、エサ台１３３の格子内にエサを設置しておき、捕獲檻１０１に進入した害獣がエサを食べようと鼻先や前足などでエサ台１３３を揺動させると、エサ台１３３を狭持している第１のレール１４６、および第２のレール１４７が背面部１０４側にスライドする。このとき、第２のレール１４７に接続されている第１のリンク棒１３０が可動し、関節部１３７を介して第２のリンク棒と連結部１２６の当接状態が解除され、扉部１１６を開放状態から閉塞状態へ移動させることができる。
【００８２】
次に、本発明の第３の実施形態について図６を用いて説明する。なお、第１の実施形態、および第２の実施形態と共通する部分についてはその説明を省略する。
【００８３】
第３の実施形態においては、第１の実施形態、および第２の実施形態の構成に加えて、一端が第２のリンク棒１３１の所定の位置に係止され、捕獲檻本体１０２内を通過するように、第１の側面部１０５、および第２の側面部１０６に巻着された解除紐１６１を有している。なお図６は説明の便宜上第１の実施形態に係るトリガー部１２９ａを示しているが、第２の実施形態に係るトリガー部１２９ｂを採用してもよい。
【００８４】
すなわち、第１の実施形態、および第２の実施形態においては、イノシシのように体高が低く、鼻先の力が強い害獣に対しては有効である。一方で、シカのように体高が高く、鼻先の力が弱い害獣には機能しないおそれがある。そこで、第３の実施形態のように、体高の高い害獣の体高位置あわせて解除紐１６１を設置しておくことで、捕獲檻１０１に進入した害獣が解除紐１６１に体の一部を引っ掛けることで解除紐１６１が引っぱられ、これに連動して第２のリンク棒１３１が可動し、連結部１２６と支持棒１２５の当接状態を解除し扉部１１６を開放状態から閉塞状態に移動させることができる。
【００８５】
以上のように、本発明を適用した捕獲檻は、軽量かつ小型で、害獣への警戒心を与えることなく害獣の捕獲率を高めることができるものとなっている。
【符号の説明】
【００８６】
１０１、２０１、３０１    捕獲檻
１０２    捕獲檻本体
１０３    底面部
１０４    背面部
１０５    第１の側面部
１０６    第２の側面部
１０７、２０７、３０７    前面開口部
１０８    前面方形枠体
１０９    後面方形枠体
１１０    第１の上側フレーム
１１１    第２の上側フレーム
１１２    第１の下側フレーム
１１３    第２の下側フレーム
１１４    天井面開口部
１１５    縦支柱
１１６、２１６    扉部
１１７    外枠
１１８    天井面閉塞部
１１９    前面閉塞部
１２０    扉支持部
１２１    蝶番
１２２    天井柵
１２３、２２３    ストッパー部
１２４    基部
１２５    支持棒
１２６    連結部
１２７    当接部
１２８    支持板
１２９ａ、１２９ｂ    トリガー部
１３０    第１のリンク棒
１３１    第２のリンク棒
１３２    ロッド
１３３    エサ台
１３４    ストッパー解除部
１３５    浮き上がり防止部
１３６    挿通孔部
１３７    関節部
１３８    突出片
１３９    安全装置
１４０    本体部
１４１ａ、１４１ｂ    安全棒
１４２    側縁部
１４３    係止部
１４４    錠部
１４５    錠規制部
１４６    第１のレール
１４７    第２のレール
１４８ａ、１４８ｂ    始端
１４９ａ、１４９ｂ    終端
１５０    第１のスリット
１５１    第２のスリット
１５２    第１のバネ部
１５３    第２のバネ部
１５４ａ、１５４ｂ    フック
１５５    第１の止め具
１５６    第２の止め具
１５７    第３の止め具
１５８    第４の止め具
１６０    フランジ部
１６１    解除紐
２６２    エサ取付部
３６３    背面開口部
３６４    第１の扉部
３６５    第２の扉部
【図１】
2018000153.tif 000003
【図２】
2018000153.tif 000004
【図３】
2018000153.tif 000005
【図４】
2018000153.tif 000006
【図５】
2018000153.tif 000007
【図６】
2018000153.tif 000008
【図７】
2018000153.tif 000009
【図８】
2018000153.tif 000010